(57)【特許請求の範囲】
【請求項１】
無線セル（Ｃ）を動作させるための無線アクセス装置であって、
モバイル・デバイスとの無線通信チャネルを確立し動作させるように構成された少なくとも１つの無線トランシーバ（２１０）を含み、
特定のモバイル・デバイスの速度を示す速度情報（Ｓｐｅｅｄ＿ｉｎｆｏ１／２／３）により、高速カテゴリ（ＨＳ）またはより低速のカテゴリ（ＬＳ）に属するとして前記特定のモバイル・デバイス（３２０）を特徴づけるように構成された速度決定ロジック（２４０）と、
前記特定のモバイル・デバイスが前記より低速のカテゴリに属するとして特徴づけられた場合、前記無線セルの第１の無線資源パーティション（Ｂ＿ＤＬ１；Ｂ＿ＵＬ１）内に、または前記特定のモバイル・デバイスが前記高速カテゴリに属すると特徴づけられた場合、前記無線セルの第２の分離無線資源パーティション（Ｂ＿ＤＬ２；Ｂ＿ＵＬ２）内に、前記特定のモバイル・デバイスとの通信のために、特定の無線通信チャネルを割り当てるように構成された無線資源コントローラ（２５０）と、
前記特定の無線通信チャネルが前記第１の無線資源パーティション内に割り当てられている場合に、第１の最大伝送電力レベル（ＰＴＸＭＡＸ＿ＤＬ１；ＰＴＸＭＡＸ＿ＵＬ１）より低いものとして、または前記特定の無線通信チャネルが前記第２の無線資源パーティション内に割り当てられている場合に、前記第１の最大伝送電力レベルより高い第２の最大伝送電力レベル（ＰＴＸＭＡＸ＿ＤＬ２；ＰＴＸＭＡＸ＿ＵＬ２）より低いものとして、前記特定の無線通信チャネルを通じて通信に使用される伝送電力を制御するように構成された伝送電力コントローラ（２１３）であって、それによって、高速モバイル・デバイスに対して長距離の無線有効範囲エリア（３４０）、およびより低速のモバイル・デバイスに対してより短距離の無線有効範囲エリア（３３０）をもたらす伝送電力コントローラ（２１３）と
をさらに含み、
前記特定のモバイル・デバイスが、前記高速またはより低速のカテゴリに属すると特徴づけられるかどうかに依存して、および前記特定の近接セルが、高速およびより低速のモバイル・デバイスに対する無線資源分割をサポートするかどうかに依存して、前記特定のモバイル・デバイスおよび特定の近接セルに対する特定のオフセットされたセル測定を構成するための測定構成ロジックをさらに含む無線アクセス装置。
【請求項２】
前記第１および第２の無線資源パーティションは、それぞれ第１および第２の分離周波数パーティションである請求項１に記載の無線アクセス装置。
【請求項３】
前記第１および第２の無線資源パーティションは、それぞれ第１および第２の分離時間パーティションである請求項１または２に記載の無線アクセス装置。
【請求項４】
前記第１および第２の無線資源パーティションは、それぞれ第１のおよび第２の分離コード・パーティションである請求項１乃至３のいずれか１項に記載の無線アクセス装置。
【請求項５】
前記速度情報は、ソース無線セルから前記無線セルへの前記特定のモバイル・デバイスのハンドオーバの間に、前記ソース無線セルを動作させるソース無線アクセス装置から取得される請求項１乃至４のいずれか１項に記載の無線アクセス装置。
【請求項６】
無線セル（Ｃ）を動作させ、さらにモバイル・デバイスとの無線通信チャネルを確立し動作させるための方法であって、
前記特定のモバイル・デバイスの速度を示す速度情報（ｓｐｅｅｄ＿Ｉｎｆｏ１／２／３）により、高速カテゴリ（ＨＳ）またはより低速のカテゴリ（ＬＳ）に属するとして特定のモバイル・デバイス（３２０）を特徴づけるステップと、
前記特定のモバイル・デバイスが前記より低速のカテゴリに属するとして特徴づけられた場合、前記無線セルの第１の無線資源パーティション（Ｂ＿ＤＬ１；Ｂ＿ＵＬ１）内に、または前記特定のモバイル・デバイスが前記高速カテゴリに属すると特徴づけられた場合、前記無線セルの第２の分離無線資源パーティション（Ｂ＿ＤＬ２；Ｂ＿ＵＬ２）内に、前記特定のモバイル・デバイスとの通信のために特定の無線通信チャネルを割り当てるステップと、
前記特定の無線通信チャネルが前記第１の無線資源パーティション内に割り当てられている場合に、第１の最大伝送電力レベル（ＰＴＸＭＡＸ＿ＤＬ１；ＰＴＸＭＡＸ＿ＵＬ１）より低いものとして、または前記特定の無線通信チャネルが前記第２の無線資源パーティション内に割り当てられている場合に、前記第１の最大伝送電力レベルより高い第２の最大伝送電力レベル（ＰＴＸＭＡＸ＿ＤＬ２；ＰＴＸＭＡＸ＿ＵＬ２）より低いものとして、前記特定の無線通信チャネルを通じて通信に使用される伝送電力を制御するステップであって、それによって、高速モバイル・デバイスに対して長距離の無線有効範囲エリア（３４０）、およびより低速のモバイル・デバイスに対してより短距離の無線有効範囲エリア（３３０）をもたらすステップと
を含み、
前記特定のモバイル・デバイスが、前記高速またはより低速のカテゴリに属すると特徴づけられるかどうかに依存して、および前記特定の近接セルが、高速およびより低速のモバイル・デバイスに対する無線資源分割をサポートするかどうかに依存して、前記特定のモバイル・デバイス、および特定の近接セルに対する特定のオフセットされたセル測定を構成するステップをさらに含む方法。
【請求項７】
前記第１および第２の無線資源パーティションは、それぞれ第１および第２の分離周波数パーティションである請求項６に記載の方法。
【請求項８】
前記第１および第２の無線資源パーティションは、それぞれ第１のおよび第２の分離時間パーティションである請求項６または７に記載の方法。
【請求項９】
前記第１および第２の無線資源パーティションは、それぞれ第１のおよび第２の分離コード・パーティションである請求項６乃至８のいずれか１項に記載の方法。
【請求項１０】
前記速度情報は、ソース無線セルから前記無線セルへの前記特定のモバイル・デバイスのハンドオーバの間に、前記ソース無線セルを動作させるソース無線基地局から取得される請求項６乃至９のいずれか１項に記載の方法。
【請求項１１】
モバイル・デバイスとの無線通信のために無線セルの無線資源を構成する方法であって、
より低い速度および高速のモバイル・デバイスとの通信のために、第１の無線セル（Ｃ２；Ｃ５）に第１および第２の無線資源パーティション（Ｂ＿ＤＬ１；Ｂ＿ＵＬ１；Ｂ＿ＤＬ２；Ｂ＿ＵＬ２）をそれぞれ割り当て、モバイル・デバイスとの通信のために、第２の無線セル（Ｃ１；Ｃ３；Ｃ４；Ｃ６）に第３の単一の無線資源パーティション（Ｂ＿ＤＬ１；Ｂ＿ＵＬ１）を割り当てるステップと、
前記第１、第２、および第３の無線資源パーティション内での通信のために、第１、第２、および第３の最大伝送電力レベル（ＰＴＸＭＡＸ＿ＤＬ１＿Ｃｎ；ＰＴＸＭＡＸ＿ＵＬ１＿Ｃｎ；ＰＴＸＭＡＸ＿ＤＬ２＿Ｃｎ；ＰＴＸＭＡＸ＿ＵＬ２＿Ｃｎ）をそれぞれ構成するステップと
を含み、
前記第２の最大伝送電力レベルは、前記第１および第３の最大伝送電力レベルより高いものとして構成され、
前記第２の無線資源パーティションのそれぞれは、前記第１および第３の無線資源パーティションのそれぞれから分離するものとして構成される
方法。
【請求項１２】
前記第１の無線セルを動作させる第１の無線基地局（４１２；４１５）の間の第１のノード間距離（ｄ１）に依存して前記第２の最大伝送電力レベル、および前記第１の無線基地局と前記第２の無線セルを動作させる第２の無線基地局（４１１；４１３；４１４；４１６）との間の第２のノード間距離（ｄ２）に依存して前記第１および第３の最大伝送電力レベルを構成するステップをさらに含む請求項１１に記載の方法。
【請求項１３】
その日の時刻を示すタイミング情報に依存して、前記第１、第２、および第３の無線資源パーティションの容量を調整するステップをさらに含む請求項１１または１２に記載の方法。
【発明の詳細な説明】
【技術分野】
【０００１】
本発明は、移動体通信に関し、より詳細には、小半径のセルを横断して移動する高速ユーザのハンドオーバに関する。
【背景技術】
【０００２】
スペクトルのより高度な空間的な再利用のおかげで、帯域幅が大きいトラフィック需要を満たし、移動体ユーザの体感品質（ＱｏＥ）の拡張するために、小半径のセル（さらにピコセルと短縮される）が有望な第４世代（４Ｇ）ソリューションとして現れている。
【０００３】
しかし、ピコセルの高密度の動作は、干渉だけでなく移動性管理に関しても大きな課題を引き起こしている。隣接するピコセルを分離する距離の短さを考えると、高速ユーザは、短い時間フレームに多数のピコセルを横断することが予想される。実際に、ハンドオーバの割合は、ユーザの速度、およびセル間距離の逆数とともに増加する。
【０００４】
この状況では、ピコセルを横断して移動する高速ユーザに安定したＱｏＥを保証することが難しくなる。つまり、呼接続を維持し、無線リンク障害（ＲＬＦ）を回避するために、セル再選択、無線資源制御（ＲＲＣ）の再構成、新しいセルへの接続を非常に短時間に実行する必要がある。
【０００５】
この問題の既知のソリューションは次のとおりである：
−  ［高速ＨＯ］ハンドオーバ手順は、信頼性の低いハンドオーバの試みを防ぎながら、最も適切なターゲット・セルへの迅速な再接続（セル再選択、承認、ハンドオーバ準備）を保証するために速度を上げられる。
−  ［アンブレラ・セル］高速ユーザは、アンブレラ・マクロ・セルによって扱われる。
−  ［ＶＣ］複数のピコセルが、単一の集約された仮想セル（ＶＣ）へと組み合わせられる。
【０００６】
高速ＨＯは、欧州特許出願ＥＰ２２０７３８２「Ｍｅｔｈｏｄ  ｆｏｒ  Ｐｒｉｏｒｉｔｉｚｉｎｇ  Ｈａｎｄｏｖｅｒ  Ｔａｒｇｅｔｓ  ｆｏｒ  ｓｃａｎｎｉｎｇ  ｂｙ  ａ  Ｍｏｂｉｌｅ  Ｔｅｒｍｉｎａｌ  ｉｎ  ａ  Ｗｉｒｅｌｅｓｓ  Ｎｅｔｗｏｒｋ」に記述されているスキャン最適化期間、または処理開始までの期間（Ｔｉｍｅ−Ｔｏ−Ｔｒｉｇｇｅｒ）イベントの最適化など、ＨＯを加速する任意のメカニズムを包含する。
【０００７】
しかし、それは高速において非効率であることが証明されている。実際に、ＨＯ期間は、１秒まで達する場合がある。９０ｋｍ／ｈでは、ユーザは約２５メートル移動しており、これはピコセルの典型的なセル半径（約１００メートル）と比較すると非常に長距離である。
【０００８】
これに加えて、物理レイヤ測定は、距離に依存するフェージング、シャドーイングなどによって決定的な影響を受ける場合がある。そのため、ハンドオーバ測定および処理開始までの期間（ＴＴＴ）のハンドオーバは、これらの電波変動を考慮する必要があり、任意に減らすことができない。
【０００９】
ハンドオーバ決定プロセスは、またユーザ速度情報に対応することができる。考え方は、高速移動するユーザを、アンブレラ・セルと呼ばれる、重なっているマクロ・セルに向けてリダイレクトしながら、ゆっくり移動するユーザは、ピコセルによって有利に扱われ続けるということである。アンブレラ・セルは、別個のマクロ基地局によって運用され、多数のピコセルを包含する無線有効範囲エリアを持っている。
【００１０】
仮想セル（ＶＣ）の概念は、２００６年にＷｉｃｏｍによって公開されたＹ．Ｍｏ、Ｊ．Ｘｉｅ、およびＢ．Ｈｕａｎｇの「Ｈａｎｄｏｆｆ  ｉｎ  ｖｉｒｔｕａｌ  ｃｅｌｌｓ  ｓｙｓｔｅｍ  ｂａｓｅｄ  ｏｎ  Ｄｉｓｔｒｉｂｕｔｅｄ  ａｎｔｅｎｎａ」という題名の論文に最初に記述された。ＶＣは、協働する無線セルと移動体によって単一の分散型基地局と見なされる複数の無線基地局との組である。ＶＣ内において、移動体はハンドオーバを実行せずにセルを横断して移動することができる。ハンドオーバは、ＶＣ境界のみで実行される。このように、ハンドオーバの割合が大きく減らされる。
【００１１】
ＶＣベースのハンドオーバ・ソリューションは、分散型アンテナ構造を持つ分散型アーキテクチャに依存している。これに加えて、ＶＣの構造および選択から実装の複雑さが発生する。
【先行技術文献】
【特許文献】
【００１２】
【特許文献１】欧州特許出願ＥＰ２２０７３８２
【非特許文献】
【００１３】
【非特許文献１】Ｙ．Ｍｏ、Ｊ．Ｘｉｅ、およびＢ．Ｈｕａｎｇ、「Ｈａｎｄｏｆｆ  ｉｎ  ｖｉｒｔｕａｌ  ｃｅｌｌｓ  ｓｙｓｔｅｍ  ｂａｓｅｄ  ｏｎ  Ｄｉｓｔｒｉｂｕｔｅｄ  ａｎｔｅｎｎａ」、Ｗｉｃｏｍ、２００６年
【発明の概要】
【発明が解決しようとする課題】
【００１４】
本発明は、ユーザ速度に関係なく効率的であり、最小限の実装の複雑が必要とされ、特定のワイヤレス・ネットワーク・アーキテクチャに限定されないソリューションを提供することを目的とする。
【課題を解決するための手段】
【００１５】
本発明の第１の態様によると、無線セルを動作させるための無線アクセス装置は、モバイル・デバイスとの無線通信チャネルを確立し動作させるように構成された少なくとも１つの無線トランシーバを含む。無線アクセス装置は、特定のモバイル・デバイスの速度を示す速度情報により、高速カテゴリまたはより低速のカテゴリに属するとして特定のモバイル・デバイスを特徴づけるように構成された速度決定ロジックと、特定のモバイル・デバイスがより低速のカテゴリに属するとして特徴づけられた場合、無線セルの第１の無線資源パーティション内に、または特定のモバイル・デバイスが高速カテゴリに属するとして特徴づけられた場合、無線セルの第２の分離無線資源パーティション内に、特定のモバイル・デバイスとの通信のために、特定の無線通信チャネルを割り当てるように構成された無線資源コントローラとをさらに含む。無線アクセス装置は、特定の無線通信チャネルが第１の無線資源パーティション内に割り当てられている場合に、第１の最大伝送電力レベルより低いものとして、または特定の無線通信チャネルが第２の無線資源パーティション内に割り当てられている場合に、第１の最大伝送電力レベルより実質的に高い第２の最大伝送電力レベルより低いものとして、特定の無線通信チャネルを通じて通信に使用される伝送電力を制御するように構成された伝送電力コントローラであって、それによって、高速モバイル・デバイスに対して長距離の無線有効範囲エリア、およびより低速のモバイル・デバイスに対してより短距離の無線有効範囲エリアをもたらす伝送電力コントローラをさらに含む。
【００１６】
本発明の別の態様によると、無線セルを動作させ、さらにモバイル・デバイスとの無線通信チャネルを確立し動作させるための方法は、特定のモバイル・デバイスの速度を示す速度情報により、高速カテゴリまたはより低速のカテゴリに属するとして特定のモバイル・デバイスを特徴づけるステップと、特定のモバイル・デバイスがより低速のカテゴリに属するとして特徴づけられた場合、無線セルの第１の無線資源パーティション内に、または特定のモバイル・デバイスが高速カテゴリに属するとして特徴づけられた場合、無線セルの第２の分離無線資源パーティション内に、特定のモバイル・デバイスとの通信のために特定の無線通信チャネルを割り当てるステップとを含む。方法は、特定の無線通信チャネルが第１の無線資源パーティション内に割り当てられている場合に、第１の最大伝送電力レベルより低いものとして、または特定の無線通信チャネルが第２の無線資源パーティション内に割り当てられている場合に、第１の最大伝送電力レベルより実質的に高い第２の最大伝送電力レベルより低いものとして、特定の無線通信チャネルを通じて通信に使用される伝送電力を制御するステップであって、それによって、高速モバイル・デバイスに対して長距離の無線有効範囲エリア、およびより低速のモバイル・デバイスに対してより短距離の無線有効範囲エリアをもたらすステップとをさらに含む。
【００１７】
さらなる本発明の別の態様によると、モバイル・デバイスとの無線通信のために無線資源を構成する方法は、より低い速度および高速のモバイル・デバイスとの通信のために、第１の無線セルに第１および第２の無線資源パーティションをそれぞれ割り当て、モバイル・デバイスとの通信のために、第２の無線セルに第３の単一の無線資源パーティションを割り当てるステップを含む。方法は、第１、第２、および第３の無線資源パーティション内での通信のために、第１、第２、および第３の最大伝送電力レベルをそれぞれ構成するステップをさらに含む。第２の最大伝送電力レベルは、第１および第３の最大伝送電力レベルより実質的に高いものとして構成され、第２の無線資源パーティションのそれぞれは、第１または第３の無線資源パーティションのそれぞれから分離するものとして構成される。
【００１８】
本発明によるピコセルは、２つ以上の無線有効範囲エリアの重ね合わせから構成され、そのそれぞれが、たとえば、ＵＥ高速クラスおよびＵＥ低速クラスなど、ユーザ装置（ＵＥ）の速度クラスに対応し、特定の最大伝送電力、およびしたがって特定の無線有効範囲によって特徴づけられる。
【００１９】
伝送電力は、ユーザ速度クラスに合わせて構成され、高速ユーザには特に高い伝送電力が用いられる。増強された伝送電力を用いる大きな半径の無線有効範囲エリアは、運転者など高速で移動するユーザを扱う一方、公称の伝送電力を用いる小さな半径の無線有効範囲エリアは、歩行者などゆっくり移動するユーザを扱い続ける。このようにして、高速ユーザは、より長い期間、同じセルに接続され続け、これにより扱いにくい頻繁なハンドオーバを防ぐ。
【００２０】
高伝送電力の無線有効範囲エリアが隣接セルに干渉するのを回避するために、分離して干渉しない無線資源パーティションが、すべての関係する無線セルの全体にわたって、それぞれのＵＥ速度クラスに一貫して割り当てられる。
【００２１】
同じＵＥ速度クラス内のセル間干渉は、資源共有、干渉調整、干渉除去の方法などを通じて管理される。
【００２２】
無線資源コントローラは、ユーザ間で無線資源を割り当てかつスケジューリングし、ＵＥ速度情報、およびそれぞれのＵＥ速度クラスに事前に割り当てられた無線資源パーティションを考慮する。
【００２３】
ＵＥ速度特性づけは、高、中、および低ＵＥ速度クラスなど２つを超えるＵＥ速度クラスをもたらすことができ、それぞれが専用の無線資源パーティションを備えている。
【００２４】
本発明の一実施形態では、第１および第２の無線資源パーティションは、それぞれ第１および第２の分離周波数パーティションである。
【００２５】
本発明の一実施形態では、第１および第２の無線資源パーティションは、それぞれ第１および第２の分離時間パーティションである。
【００２６】
セル分割は、高速および低速のユーザにそれぞれの無線周波数キャリアを割り当てることによって周波数領域で（周波数分割二重化）、かつ／または高速および低速のユーザにそれぞれの通信時間スロットを割り当てることによって時間領域で（時分割二重化）実行することができる。後者は、たとえばＧＰＳ受信機によって供給される共通の時計基準を使って、または共通のネットワーク時間基準を使って、隣接する基地局間の完全な時間同期を必要とする。
【００２７】
本発明の一実施形態では、第１および第２の無線資源パーティションは、それぞれ第１および第２の分離コード・パーティションである。
【００２８】
セル分割は、また、高速および低速のユーザに別個の直交符号を割り当てることによって、スペクトル拡散技法を使って達成することができる。
【００２９】
本発明の一実施形態では、速度情報は、ソース無線セルから無線セルへの特定のモバイル・デバイスのハンドオーバの間に、ソース無線セルを動作させるソース無線アクセス・ノードから取得される。
【００３０】
そうすることによって、ＵＥは、次のハンドオーバのときに適切な無線資源パーティションに向けて導かれる。ＵＥ速度は、たとえば、最後に訪問したセルでＵＥが費やした時間から決定することができる。
【００３１】
本発明の一実施形態では、特定のモバイル・デバイス、および特定の近接セルに対する特定の測定ポリシーは、特定のモバイル・デバイスが、高速またはより低速のカテゴリに属するとして特徴づけられるかどうかに依存して、および特定の近接セルが、高速およびより低速のモバイル・デバイスに対する無線資源分割をサポートするかどうかに依存して構成される。
【００３２】
近接セル参照信号の測定は、サービスを提供するセル参照信号の測定に関して適切にオフセットされるものであり、このオフセットは、ＵＥ速度カテゴリに依存して、およびさらに高速ユーザを扱うために近接セルが長距離の無線有効範囲エリアを用いる専用の無線資源パーティションを持っているかどうかに依存して構成される。
【００３３】
本発明の一実施形態では、第１、第２、および第３の無線資源パーティションの容量は、その日の時刻を示すタイミング情報に依存して調整される。
【００３４】
速度クラス間の帯域幅の分散は、各ＵＥ速度クラスからのユーザの割合に依存して、半静的な方法で調整することができる（１日に１回または２回期待される半静的な帯域幅分割の更新）。この割合は、日中に、および対象となる地理的領域に依存して変動を受けやすい。この調整は、すべてのピコセルの全体で一貫して実行されるものとする。
【００３５】
本発明の一実施形態では、第２の最大伝送電力レベルは、第１の無線セルを動作させる第１の無線基地局間の第１のノード間距離に依存して構成され、第１および第３の最大伝送電力レベルは、第１の無線基地局と第２の無線セルを動作させる第２の無線基地局との間の第２のノード間距離に依存して構成される。
【００３６】
それぞれのＵＥ速度クラスに使用される最大伝送電力レベルは、ハンドオーバに関与するサービスを提供するセルとターゲット・セルとの間の必要なセル間距離から得ることができ、後者は、セル間距離とユーザ速度との間の所与の割合に対して構成される。
【００３７】
さらに特徴的な実施形態は、添付の特許請求の範囲において言及している。
【００３８】
添付の図面に関連して実施形態に関する以下の記述を参照することによって、本発明の上記および他の目的および特徴がより明白になり、本発明自体について最も理解されるだろう。
【図面の簡単な説明】
【００３９】
【図１】Ｌｏｎｇ  Ｔｅｒｍ  Ｅｖｏｌｕｔｉｏｎ（ＬＴＥ）のモバイル・ネットワーク・インフラストラクチャを示す図である。
【図２】本発明による無線アクセス装置を含む無線基地局を示す図である。
【図３】本発明により動作するセルを示す図である。
【図４】ピコセルのクラスタであって、その少数が本発明により動作することを示す図である。
【発明を実施するための形態】
【００４０】
図１に、以下のネットワーク要素を含むＬＴＥ無線アクセス・ネットワーク（Ｅ−ＲＡＮ）の部分１００および進化型パケット・コア（ＥＰＣ：Ｅｖｏｌｖｅｄ  Ｐａｃｋｅｔ  Ｃｏｒｅ）が見られる：
−  発展型ノードＢ（ｅＮＢ）１１０、
−  移動性管理エンティティ（ＭＭＥ）１２０、
−  サービスを提供するゲートウェイ（Ｓ−ＧＷ）１３０、
−  パケット・データ・ネットワーク（ＰＤＮ）ゲートウェイ（Ｐ−ＧＷ）１４０、
−  ＰＤＮ１５０、および
−  ＵＥ１６０。
【００４１】
ｅＮＢ１１０は、Ｓ１−ＭＭＥインターフェースを通じてＭＭＥ１２０に、Ｓ１−Ｕインターフェースを通じてＳ−ＧＷ１３０に結合される。Ｓ−ＧＷ１３０は、Ｓ５インターフェースを通じてＰ−ＧＷ１４０にさらに結合される。Ｐ−ＧＷ１４０は、ＳＧｉインターフェースを通じてＰＤＮ１５０にさらに結合される。ｅＮＢ１２０は、Ｘ２インターフェースを通じて隣接するｅＮＢと近隣関係を築く。
【００４２】
ｅＮＢ１１０は、典型的には数十メートルから最大数百メートルまでの小型かつ限定された通信領域を持つマイクロ・セルまたはピコセルを動作させる。ｅＮＢ１１０は、Ｕｕ無線インターフェースを通じてＵＥ１６０と無線通信チャネル（つまり、１組のダウンリンクおよびアップリンクのトラフィック無線資源）を確立し動作させるように構成される。
【００４３】
より顕著には、ｅＮＢ１１０は、以下の機能をホストする：
−  無線資源管理：無線ベアラ制御、無線承認制御、接続移動性制御、アップリンクおよびダウンリンクの両方におけるＵＥへの資源の動的割り当て（スケジューリング）；
−  Ｓ−ＧＷへのユーザプレーン・データのルーティング；
−  ＭＭＥからのページング・メッセージのスケジューリングおよび伝送；
−  同報情報のスケジューリングおよび伝送；
−  移動性およびスケジューリングの測定および測定報告構成。
【００４４】
ＭＭＥ１２０は、以下の機能をホストする：
−  非アクセス層（ＮＡＳ）シグナリング；
−  ページング再伝送の制御および実行を含むアイドル・モードＵＥの到達可能性；
−  アイドル状態およびアクティブ・モードのＵＥのトラッキング領域（ＴＡ）リスト管理；
−  Ｓ−ＧＷ選択；
−  ＭＭＥ間ハンドオーバのためのＭＭＥ選択；
−  ローミング；
−  認証；
−  専用ベアラ確立を含むベアラ管理機能。
【００４５】
Ｓ−ＧＷ１３０は、以下の機能をホストする：
−  ｅＮＢ間ハンドオーバのためのローカル・モビリティー・アンカ・ポイント；
−  Ｅ−ＵＴＲＡＮアイドル・モード・ダウンリンク・パケット・バッファリング、およびネットワークでトリガーされるサービス要求手順の開始；
−  合法の傍受；
−  パケットのルーティングおよび転送；
−  アップリンクおよびダウンリンクにおけるトランスポート・レベルのパケット・マーキング；
−  ＵＥ、ＰＤＮ、およびＱｏＳクラス識別子（ＱＣＩ）ごとのダウンリンクおよびアップリンクの課金。
【００４６】
Ｐ−ＧＷ１４０は、以下の機能をホストする：
−  ＵＥのＩＰアドレス割り当ておよびＩＰアンカ・ポイント；
−  ユーザごとのパケット・フィルタリング（たとえばディープ・パケット・インスペクションを使用）；
−  合法の傍受；
−  ダウンリンクおよびアップリンクのサービス・レベルの課金、ゲーティング、およびレート強制（ｒａｔｅ  ｅｎｆｏｒｃｅｍｅｎｔ）。
【００４７】
図２に、本発明による無線アクセス装置を含むｅＮＢ２００についてさらに詳細に見られる。
【００４８】
ｅＮＢ２００は、以下の機能ブロックを含む：
−  １つまたは複数の送受信装置２１０。それぞれがデジタル・ベースバンド・ユニット２１１（またはＢＢＵ）、アナログ・バンドパス・ユニット２１２（またはＡＮＡ）、および伝送電力コントローラ２１３（またはＴＸ＿ＰＷＲ＿ＣＴＲＬ）を含む、
−  結合ユニット２２０（またはＣＯＵＰ）、
−  ネットワーク終端ユニット２３０（またはＮＴＵ）、
−  ＵＥ速度決定ユニット２４０、（またはＵＥ＿ＳＰＥＥＤ）、および
−  無線資源コントローラ２５０（またはＲＲＣ）。
【００４９】
ネットワーク終端ユニット２３０は、デジタル・ベースバンド・ユニット２１１に双方向に結合され、デジタル・ベースバンド・ユニット２１１は、アナログ・バンドパス・ユニット２１２に双方向に結合され、アナログ・バンドパス・ユニット２１２は、結合ユニット２２０に双方向に結合され、結合ユニット２２０は、外部または内部のアンテナ２６０に結合される。伝送電力コントローラ２１３は、アナログ・バンドパス・ユニット２１２に結合される。ＵＥ速度決定ユニット２４０および無線資源コントローラ２５０は、送受信装置２１０に結合される。無線資源コントローラ２５０は、ＵＥ速度決定ユニット２４０にさらに結合される。
【００５０】
送受信装置２１０は、無線資源コントローラ２５０の制御下で、ＵＥとの無線通信チャネルを確立し動作させるように構成される。送受信装置２１０は、ダウンリンクおよびアップリンクの無線パーティションＢ＿ＤＬおよびＢ＿ＵＬ内で動作し、これは、低速ユーザとの通信のために第１のダウンリンクおよびアップリンクの無線パーティションＢ＿ＤＬ１およびＢ＿ＵＬ１へ、および高速ユーザとの通信のために第２の分離ダウンリンクおよびアップリンクの無線パーティションＢ＿ＤＬ２およびＢ＿ＵＬ２へと分割される。
【００５１】
デジタル・ベースバンド・ユニット２１１は、受信されたデータ・シンボルおよび伝送データ・シンボルをデジタル処理するためのものである。デジタル・ベースバンド・ユニット２１１は、ＵＥ１０とＭＭＥ３０またはＳＧ４０との間でデータ・パケットおよび制御パケットを発行、終了、または中継するために必要なプロトコル群を実装する。
【００５２】
アナログ・バンドパス・ユニット２１２は、最終的にアンテナに供給する伝送信号を変調、増幅、整形し、アンテナから受信された信号をフィルタ、増幅、復調するためのものである。アナログ・バンドパス２１２ユニットは、デジタル・ベースバンド・ユニットと組み合わせることができるか、またはいわゆるリモート・ラジオ・ヘッドエンド（ＲＲＨ）構成のアンテナの近くに移動させることができる。
【００５３】
伝送電力コントローラ２１３は、音声通話またはデータ・セッションなど、特定の通信セッションの間に送受信装置２１０およびＵＥ１０によってそれぞれ使用されるダウンリンクおよびアップリンクの伝送電力を制御するためのものである。伝送電力コントローラ２１３は、ダウンリンクおよびアップリンクの無線信号によって引き起こされたそれぞれの経路損失を補正し、同じ無線資源を再利用する近接セルに対する干渉を制限しながら、受け入れ可能な信号対ノイズおよび干渉比（ＳＮＩＲ）およびしたがって特定のサービスの質（Ｑｏｓ）を達成するために、現在のダウンリンクおよびアップリンクの伝送電力レベルを制御する。
【００５４】
伝送電力コントローラ２１３は、それぞれダウンリンクおよびアップリンクの最大伝送電力レベルより下であるとして、現在のダウンリンクおよびアップリンクの伝送電力レベルをさらに制御し、それによって特定の無線有効範囲をもたらす（最大伝送電力レベルが高いほど、無線有効距離は長い）。第１の最大伝送電力レベルＰＴＸＭＡＸ＿ＤＬ１およびＰＴＸＭＡＸ＿ＵＬ１は、第１の無線パーティションＢ＿ＤＬ１およびＢ＿ＵＬ１内の無線通信にそれぞれ使用され、第２の実質的により高い最大伝送電力レベルＰＴＸＭＡＸ＿ＤＬ２およびＰＴＸＭＡＸ＿ＵＬ２は、第２の無線パーティションＢ＿ＤＬ２およびＢ＿ＵＬ２内の無線通信にそれぞれ使用される。
【００５５】
結合ユニット２２０は、送受信装置２１０からアンテナに伝送信号を渡し、アンテナから送受信装置２１０に受信信号を送り出すためのものである。
【００５６】
ネットワーク終端ユニット２３０は、ＭＭＥおよびＳ−ＧＷ、さらにｅＮＢとさらに通信するためにデータ通信ネットワークに接続するためのものである。ネットワーク終端ユニット２３０は、入力／出力のフレームを適切なＩ／Ｏポートにルーティングするためのいくつかのフレーム送出ロジックだけでなく、適切なメディア・アクセス制御（ＭＡＣ）および物理トランスポート（ＰＨＹ）レイヤに対応する。
【００５７】
無線資源コントローラ２５０は、エア・インターフェースを通じて無線通信のために送受信装置２１０およびそれぞれのＵＥによって使用されるダウンリンクおよびアップリンクの無線資源を割り当てて管理するように構成される。つまり、ユーザ・トラフィックの搬送のためにそれぞれの無線アクセス・ベアラ（ＲＡＳ）に割り当てられる１組の時間および／または周波数の資源である。
【００５８】
無線資源管理（ＲＲＭ）は、移動通信システムにおいて同一チャネル干渉および他の無線伝送特性のシステム・レベルの制御である。ＲＲＭは、伝送電力、チャネル割り当て、ハンドオーバ基準、変調方式、エラー・コード体系などのパラメータを制御するための戦略およびアルゴリズムを含む。目的は、限られた無線周波スペクトル資源および無線ネットワーク・インフラストラクチャを可能な限り効率的に利用することである。
【００５９】
ＲＲＭは、ノイズによってではなく同一チャネル干渉によって制限されるシステムで、たとえば、同じチャネル周波数を再利用できる多数の隣接するアクセス・ポイントから構成されるネットワークにおいて特に重要である。
【００６０】
したがって、ＲＲＭの目的は、特定のサービス程度を保証しながらシステムのスペクトル効率を最大限にすることである。後者は、一定の領域を対象にして、同一チャネル干渉、ノイズ、長距離によって引き起こされる減衰、シャドーイングおよびマルチ経路によって引き起こされるフェージング、ドップラ偏移、ならびに他の形の歪みによる停止または障害を回避することを含む。サービス程度は、また、承認制御、スケジューリング枯渇（ｓｔａｒｖａｔｉｏｎ）、または要求されたサービスの質（Ｑｏｓ）を保証する能力の不足によるブロッキングによって影響される。
【００６１】
動的ＲＲＭ方式は、トラフィック負荷、ユーザの位置、ＱｏＳ要件などに無線ネットワーク・パラメータを適応状態で調整する。動的ＲＲＭ方式は、高価なマニュアルでのセル計画を最小限にし、より厳格な周波数再利用パターンを達成して、結果として、改善されたシステムのスペクトル効率で得ることに鑑みて、ワイヤレス・システムの設計で考慮される。一部の方式は集中化され、他の方式は分散され、基地局およびＵＥの自律アルゴリズム、または基地局間の情報を交換することによって調整されたアルゴリズムである。
【００６２】
動的ＲＲＭ方式の例は、電力制御アルゴリズム、リンク適応アルゴリズム、動的チャネル割り当て（ＤＣＡ）または動的周波数選択（ＤＦＳ）アルゴリズム、トラフィック適応型ハンドオーバ、適応フィルタリング（たとえば、単一アンテナ干渉除去（ＳＡＩＣ））、動的ダイバーシティー方式（たとえばソフト・ハンドオーバ、ビームフォーミングおよび／またはマルチ入力マルチ出力（ＭＩＭＯ）通信を用いるフェーズド・アレー・アンテナ、および／または空間時間コーディング）、承認制御、資源予約多重アクセス方式または統計的多重化を使用する動的な帯域幅割り当て、コグニティブ無線などである。
【００６３】
無線資源コントローラ２５０は、速度決定ロジック２４０によって供給されたＵＥ速度情報により、ダウンリンクおよびアップリンクのＲＡＢを割り当てるようにさらに構成される。無線資源コントローラ２５０は、ＵＥが低速カテゴリＬＳに属するとして速度決定ロジック２４０によって特徴づけられる場合、第１のダウンリンクおよびアップリンクの無線パーティションＢ＿ＤＬ１およびＢ＿ＵＬ１内にそれぞれ（図２のＵＥＸ＞Ｂ＿ＤＬ１（ＰＴＸＭＡＸ＿ＤＬ１）、Ｂ＿ＵＬ１（ＰＴＸＭＡＸ＿ＵＬ１）を参照）、またはＵＥが高速カテゴリＨＳに属することして特徴づけられる場合、第２のダウンリンクおよびアップリンクの無線パーティションＢ＿ＤＬ２およびＢ＿ＵＬ２内にそれぞれ（図２のＵＥＸ＞Ｂ＿ＤＬ２（ＰＴＸＭＡＸ＿ＤＬ２）、Ｂ＿ＵＬ２（ＰＴＸＭＡＸ＿ＵＬ２）を参照）、ユーザ・トラフィックのＬ１搬送のためにダウンリンクおよびアップリンクのＲＡＢを割り当てる。
【００６４】
速度決定ロジック２４０は、ＵＥ速度を参照速度しきい値と比較することによって、低速カテゴリＬＳまたは高速カテゴリＨＳに属するとして特定のＵＥを特徴づけるように構成される。速度決定ロジック２４０は、ＵＥによって供給された第１の速度情報Ｓｐｅｅｄ＿Ｉｎｆｏ１（たとえばＧＰＳ測位データから予測されるように）により、および／またはｅＮＢ２００によって決定された第２の速度情報ｓｐｅｅｄ＿Ｉｎｆｏ２（たとえば、ドップラ周波数シフトは、ｅＮＢ２００に関して放射状のＵＥ速度を示す）により、および／またはｅＮＢ２００によって動作されるターゲット・セルに向けてハンドオーバ手順の間に隣接するソースｅＮＢによって中継される第３の速度情報ｓｐｅｅｄ＿Ｉｎｆｏ３（たとえば、以前に訪問したセルで費やされた時間から取得、またはソースｅＮＢによって明示的に符号化）により、ＵＥ速度カテゴリを決定する。必要な速度の精度は、速度クラスの数に関連づけられる。
【００６５】
ＵＥ速度特徴づけの結果は、さらなる無線資源割り当てのために無線資源コントローラ２５０に渡される（図２のＵＥＸ＞ＬＳまたはＨＳを参照）。
【００６６】
図３に、本発明による無線アクセス構成を含むｅＮＢ３１０によって動作されるセルＣのダウンリンク無線有効範囲エリア３００が見られる。セルＣは全方向性のセルとして描写されているが、セルＣはセクタ化されたセルでもよい。
【００６７】
ダウンリンク無線有効範囲エリアは、第１のダウンリンク無線パーティションＢ＿ＤＬ１および第１の公称ダウンリンク最大伝送電力レベルＰＴＸＭＡＸ＿ＤＬ１に関連する低速ＵＥとの通信のための第１の短距離ダウンリンク無線有効範囲エリア３３０と、第２のダウンリンク無線パーティションＢ＿ＤＬ２およびＰＴＸＭＡＸ＿ＤＬ１より実質的に高い第２の増強されたダウンリンク最大伝送電力レベルＰＴＸＭＡＸ＿ＤＬ２に関連する高速ユーザとの通信のための第２の長距離ダウンリンク無線有効範囲エリア３４０とを含む。
【００６８】
ｅＮＢ３１０によって第１の公称最大伝送電力レベルＰＴＸＭＡＸ＿ＤＬ１で伝送されたダウンリンク信号の受信電力（ＵＥ３２０によって測定されるような）は、ＵＥ３２０とｅＮＢ３１０との間の距離ｒの第１の関数ＰＲＸＭＡＸ＿ＤＬ１としてプロットされている。ｅＮＢ３１０によって第２の増強された最大伝送電力レベルＰＴＸＭＡＸ＿ＤＬ２で伝送されたダウンリンク信号の受信電力（ＵＥ３２０によって測定されるような）は、ＵＥ３２０とｅＮＢ３１０との間の距離ｒの第２の関数ＰＲＸＭＡＸ＿ＤＬ２としてプロットされている。２つのプロットＰＲＸＭＡＸ＿ＤＬ１およびＰＲＸＭＡＸ＿ＤＬ２は、ダウンリンク電力オフセットＰＯＦＦ＿ＤＬによって分離され、ＰＴＸＭＡＸ＿ＤＬ２＝ＰＴＸＭＡＸ＿ＤＬ１＋ＰＯＦＦ＿ＤＬ（１）である。
【００６９】
特定のＳＮＩＲ、したがって特定のＱｏＳを達成するための基準ダウンリンク受信電力レベルは、最下段の直線ＰＲＸＲＥＦ＿ＤＬとしてプロットされている。ＰＲＸＭＡＸ＿ＤＬ１とＰＲＸＲＥＦ＿ＤＬとの間の差は、受け入れ可能なＱｏＳを達成しながら無線干渉を制限するために第１の無線パーティションＢ＿ＤＬ１のｅＮＢ３１０によって適用できるダウンリンク伝送電力バックオフＰＴＸＢＣＫ＿ＤＬ１の量を表す。したがって、第１の無線パーティションＢ＿ＤＬ１内の通信のためにｅＮＢ３１０によって使用される現在のダウンリンク伝送電力レベルＰＴＸ＿ＤＬ１は、ＰＴＸ＿ＤＬ１＝ＰＴＸＭＡＸ＿ＤＬ１−ＰＴＸＢＣＫ＿ＤＬ１（２）として書くことができる。ＰＲＸＭＡＸ＿ＤＬ２とＰＲＸＲＥＦ＿ＤＬとの間の差は、第２の無線パーティションＢ＿ＤＬ２のｅＮＢ３１０によって適用できるダウンリンク伝送電力バックオフＰＴＸＢＣＫ＿ＤＬ２の量を表す。したがって、ｅＮＢ３１０によって第２の無線パーティションＢ＿ＤＬ２内の通信のために使用される現在のダウンリンク伝送電力レベルＰＴＸ＿ＤＬ２は、ＰＴＸ＿ＤＬ２＝ＰＴＸＭＡＸ＿ＤＬ２−ＰＴＸＢＣＫ＿ＤＬ２（３）として書くことができる。
【００７０】
ダウンリンク通信が第１のダウンリンク無線パーティションＢ＿ＤＬ１のｅＮＢ３１０とＵＥ３２０との間で確立され、ＵＥ３２０がｅＮＢ３１０から離れた場合、ダウンリンク伝送電力バックオフＰＴＸＢＣＫ＿ＤＬ１は、ある距離Ｒ１でヌルになる。つまり、構成されたダウンリンク最大伝送電力レベルＰＴＸＭＡＸ＿ＤＬ１に到達する。このポイントから外部へと、受信ＳＮＩＲが低下し始め、通信セッションは、ハンドオーバ手順を使ってより適切な隣接セルに向けて理想的に切り替えられるべきである。距離Ｒ１は、第１の無線有効範囲エリア３３０の最大有効範囲に対応する。
【００７１】
同じ記述は、第２の無線有効範囲エリア３４０の最大無線有効範囲としてのＲ２とともに、第２の無線有効範囲エリア３４０に準用される。
【００７２】
高速ユーザの伝送電力の上昇は、同等に、高速カテゴリに属するとして特徴づけられた特定のモバイル・デバイスについて、受信電力、したがって無線有効範囲を高めるために、スマート・アンテナおよびビームフォーミング技法を使って達成することができる。
【００７３】
図４に、それぞれｅＮＢ４１１から４１６によって動作される６つのピコセルＣ１からＣ６を含む代表的な無線有効範囲エリア４００が見られる。
【００７４】
ピコセルＣ１からＣ６によって共通して共有されるダウンリンク無線資源は、第１および第２の分離無線資源パーティションＢ＿ＤＬ１およびＢ＿０Ｌ２へと分割され、ピコセルＣ１からＣ６によって共通して共有されるアップリンク無線資源は、第１および第２の分離無線資源パーティションＢ＿ＵＬ１およびＢ＿ＵＬ２へと分割される。
【００７５】
無線資源は、周波数領域および／または時間領域へと分割することができる。たとえば、ダウンリンク物理資源ブロック（ＰＲＢ）は、Ｂ＿ＤＬ１またはＢ＿ＤＬ２のいずれかに排他的に割り当てることができ、アップリンクＰＲＢは、Ｂ＿ＵＬ１またはＢ＿ＵＬ２のいずれかに排他的に割り当てることができる。無線資源パーティションに割り当てられるＰＲＢは、隣接している必要がない。
【００７６】
ピコセルＣ２からＣ５は、それぞれ低速ユーザとのダウンリンクおよびアップリンクの通信のために、第１のダウンリンクおよびアップリンクの無線パーティションＢ＿ＤＬ１およびＢ＿ＵＬ１内で動作し、それぞれ高速ユーザとのダウンリンクおよびアップリンクの通信のために第２のダウンリンクおよびアップリンクの無線パーティションＢ＿ＤＬ２およびＢ＿ＵＬ２内で動作するように構成される。
【００７７】
第１の公称のダウンリンクおよびアップリンクの最大伝送電力レベルＰＴＸＭＡＸ＿ＤＬ１＿Ｃ２、ＰＴＸＭＡＸ＿ＤＬ１＿Ｃ５、およびＰＴＸＭＡＸ＿ＵＬｌ＿Ｃ２、ＰＴＸＭＡＸ＿ＵＬ１＿Ｃ５は、セルＣ２およびＣ５内、ならびに第１の無線パーティションＢ＿ＤＬ１およびＢ＿ＵＬ１内のダウンリンクおよびアップリンクの通信のためにそれぞれ構成され、それによってピコセルＣ２およびＣ５のための第１の短距離無線有効範囲エリア４３２および４３５をもたらす。
【００７８】
第２の増強されたダウンリンクおよびアップリンクの最大伝送電力レベルＰＴＸＭＡＸ＿ＤＬ２＿Ｃ２、ＰＴＸＭＡＸ＿ＤＬ２＿Ｃ５、およびＰＴＸＭＡＸ＿ＵＬ２＿Ｃ２、ＰＴＸＭＡＸ＿ＵＬ２＿Ｃ５は、セルＣ２およびＣ５内、ならびに第２のダウンリンクおよびアップリンクの無線パーティションＢ＿ＤＬ２およびＢ＿ＵＬ２内のダウンリンクおよびアップリンクの通信のためにそれぞれ構成され、それによってピコセルＣ２およびＣ５のための第２の長距離無線有効範囲エリア４４２および４４５をもたらす。
【００７９】
残り４つのピコセルＣ１、Ｃ３、Ｃ４、およびＣ６は、それらの速度に関係なく、ＵＥとのダウンリンクおよびアップリンクの通信のために、第１のダウンリンクおよびアップリンクの無線パーティションＢ＿ＤＬ１およびＢ＿ＵＬｌ内で動作するように構成される。
【００８０】
第１の公称ダウンリンクおよびアップリンクの最大伝送電力レベルＰＴＸＭＡＸ＿ＤＬ１＿Ｃ１、ＰＴＸＭＡＸ＿ＤＬ１＿Ｃ３、ＰＴＸＭＡＸ＿ＤＬ１＿Ｃ４、ＰＴＸＭＡＸ＿ＤＬ１＿Ｃ６およびＰＴＸＭＡＸ＿ＵＬ１＿Ｃ１、ＰＴＸＭＡＸ＿ＵＬｌ＿Ｃ３、ＰＴＸＭＡＸ＿ＵＬ１＿Ｃ４、ＰＴＸＭＡＸ＿ＵＬ１＿Ｃ６は、セルＣ１、Ｃ３、Ｃ４、およびＣ６内のダウンリンクおよびアップリンクの通信のために構成され、それによってピコセルＣ１、Ｃ３、Ｃ４、およびＣ６のための第１の短距離無線有効範囲エリア４３１、４３３、４３４、および４３６をもたらす。
【００８１】
第２の増強されたダウンリンクおよびアップリンクの最大伝送電力レベルＰＴＸＭＡＸ＿ＤＬ２＿Ｃ２、ＰＴＸＭＡＸ＿ＤＬ２＿Ｃ５およびＰＴＸＭＡＸ＿ＵＬ２＿Ｃ２、ＰＴＸＭＡＸ＿ＵＬ２＿Ｃ５は、第２のダウンリンクおよびアップリンクの無線パーティションＢ＿ＤＬ２およびＢ＿ＵＬ２内のセル間干渉を最小限にするために、セルＣ２およびＣ５を動作させるｅＮＢの間の第１のノード間距離ｄ１により決定される。
【００８２】
第１の公称ダウンリンクおよびアップリンクの最大伝送電力レベルＰＴＸＭＡＸ＿ＤＬ１＿Ｃ１、ＰＴＸＭＡＸ＿ＤＬ１＿Ｃ２、ＰＴＸＭＡＸ＿ＤＬ１＿Ｃ３、ＰＴＸＭＡＸ＿ＤＬ１＿Ｃ４、ＰＴＸＭＡＸ＿ＤＬ１＿Ｃ５、ＰＴＸＭＡＸ＿ＤＬ１＿Ｃ６およびＰＴＸＭＡＸ＿ＵＬ１＿Ｃ１、ＰＴＸＭＡＸ＿ＵＬ１＿Ｃ２、ＰＴＸＭＡＸ＿ＵＬ１＿Ｃ３、ＰＴＸＭＡＸ＿ＵＬ１＿Ｃ４、ＰＴＸＭＡＸ＿ＵＬ１＿Ｃ５、ＰＴＸＭＡＸ＿ＵＬ１＿Ｃ６は、第１のダウンリンクおよびアップリンクの無線パーティションＢ＿ＤＬ１およびＢ＿ＵＬ１内のセル間干渉を最小限にするために、セルＣ１からＣ６を動作させるｅＮＢの間の第２のノード間距離ｄ２により決定される。
【００８３】
セルＣ１からＣ６によって使用される第１のアップリンクおよび／またはダウンリンクの無線パーティションは、たとえば、異なるｅＮＢ容量、および／またはより高いセル再利用パターンのために必ずしも一致しないことに注意されたい。セルＣ２およびＣ５によって使用される第２のアップリンクおよび／またはダウンリンクの無線パーティションも同様である。しかし、セルＣ２およびＣ５によって使用される第２の無線パーティションのうちのいずれも、セルＣ１からＣ６によって使用される第１の無線パーティションのいずれとも重ならないことが第１に重要である。
【００８４】
第１および第２のダウンリンク無線パーティションＢ＿ＤＬ１およびＢ＿ＤＬ２、ならびに第１および第２のアップリンク無線パーティションＢ＿ＵＬ１およびＢ＿ＵＬ２の容量は、各ＵＥ速度クラスからのユーザの割合に依存して、半静的な方法で調整することができる。この割合は、日中に、および対象となる地理的領域により変動を受けやすい。この調整は、すべてのピコセルＣ１からＣ６の全体で一貫して実行されるものとする。
【００８５】
ｅＮＢ４１１から４１６および関連するセルＣ１からＣ６の構成（それぞれのセルによって使用される無線パーティションおよび対応する最大伝送電力レベルの構成を含む）は、ｅＮＢ４１１から４１６に結合されたネットワーク・マネージャ（図示せず）によって実行される。しかし、自己編成ネットワーク（ＳＯＮ）は、運用経費（ＯＰＥＸ）を減らすために、ｅＮＢ４１１から４１６へ構成および管理作業の大部分を移動することを目的とする。
【００８６】
図４に、また、直線に沿って位置ａから位置ｃに向けて行く高速で移動するＵＥ４２０が見られる。ＵＥ４２０によって測定されるそれぞれのセル参照信号のダウンリンク最大受信電力は、対象となる距離ｘの関数として下にプロットされている。
【００８７】
ダウンリンク・セル参照信号（近接セル測定、およびさらにセルの［再］選択およびハンドオーバ決定に使用される）は、第１のダウンリンク無線パーティションＢ＿ＤＬ１内の通信のために構成された第１の公称ダウンリンク最大伝送電力レベルＰＴＸＭＡＸ＿ＤＬ１で伝送されるものと想定される。
【００８８】
位置ａでは、ＵＥ４２０は、セルＣ２内で通信セッションを確立する。ランダム・アクセスおよびタイミングの事前決定の後に、ＵＥは、ユーザ・トラフィックのＬ１搬送のためにダウンリンクおよびアップリンクのＲＡＢを確立するために、ｅＮＢ４１２とシグナリング・メッセージを交換し始める。
【００８９】
この呼設定の間に、ＵＥ４２０は、ｅＮＢ４１２にその速度を示す速度情報を送信する。ｅＮＢ４１２は、ＵＥ４１０が低速ＵＥかまたは高速ＵＥかを決定するために、この速度を基準しきい値と比較する。現在、ＵＥ４２０は、高速カテゴリＨＳに属するとして特徴づけられている。
【００９０】
結果的に、ｅＮＢ４１２は、ダウンリンク無線パーティションＢ＿ＤＬ２の１つまたは複数のダウンリンクＲＡＢおよびアップリンク無線パーティションＢ＿ＵＬ２の１つまたは複数のアップリンクＲＡＢを割り当てる。セルＣ２ならびに第２のダウンリンクおよびアップリンクの無線パーティションＢ＿ＤＬ２およびＢ＿ＵＬ２内の通信に使用される、増強されたダウンリンクおよびアップリンクの伝送電力レベルＰＴＸＭＡＸ＿ＤＬ２＿Ｃ２およびＰＴＸＭＡＸ＿ＵＬ２＿Ｃ２は、長距離を通じて高速で移動するＵＥ４２０にサービスを提供することを可能にする。
【００９１】
また、ｅＮＢ４１２は、ＵＥ４２０にＭＥＡＳＵＲＥＭＥＮＴ  ＣＯＮＴＲＯＬメッセージを送信し、それによってＵＥ４２０は、その場限りの測定ポリシーを用いて構成される。より具体的には、ＵＥ４２０は、イベント状態Ａ３をトリガーするための一般的なオフセット・パラメータＯＦＦ、イベント状態Ａ３に入りかつ去るためのヒステリシスＨＹＳ、およびｅＮＢ４１２にイベントを報告する前にイベント状態Ａ３が満たされるものとするＴＴＴ期間を含むハンドオーバ・イベントＡ３（近接セルはサービスを提供するセルより良好にオフセットされる）で構成される。ＵＥ４２０は、高速で移動するＵＥとして、サービスを提供するセルＣ２の正のセル固有のオフセットＯＣＳ２、隣接セルＣ５の正のセル固有のオフセットＯＣＮ５、ならびにそれぞれ他の隣接セルＣ１、Ｃ３、およびＣ４の負のセル固有のオフセットＯＣＮ１、ＯＣＮ３、およびＯＣＮ４でさらに構成される。セルＣ２のサービスを提供するセル固有のオフセットＯＣＳ２は、増強された、および公称のダウンリンク最大伝送電力レベルＰＴＸＭＡＸ＿ＤＬ２＿Ｃ２−ＰＴＸＭＡＸ＿ＤＬ１＿Ｃ２の差に一致し、セルＣ５の隣接セル固有のオフセットＯＣＮ５は、増強された、および公称のダウンリンク最大伝送電力レベルＰＴＸＭＡＸ＿ＤＬ２＿Ｃ５−ＰＴＸＭＡＸ＿ＤＬ１＿Ｃ５の差に一致する。セルＣ１、Ｃ３、およびＣ４の負の隣接セル固有のオフセットＯＣＮ１、ＯＣＮ３、およびＯＣＮ４は、高速で移動するＵＥ４２０が、高速で移動するＵＥを扱うのに適していない、ピコセルＣ１、Ｃ３、およびＣ４へのハンドオーバ・イベントＡ３をトリガーするのを回避するように調整される。
【００９２】
ＵＥ４２０は、隣接セルからの信号強度および／または信号品質を測定し、それらをそれぞれのハンドオーバしきい値と比較する。
【００９３】
位置ｂへの途中で、ＵＥ４２０は、セルＣ３の短距離無線有効範囲エリア４１３に入るが、Ｃ３ビーコン信号の測定された電力は、適切な負の量だけ正しくオフセットされるため、セルＣ３へのハンドオーバ状態を検出しない。
【００９４】
位置ｂで、ＵＥ４２０は、セルＣ２の長距離無線有効範囲エリア４４２およびセルＣ３の短距離無線有効範囲エリア４４３を出て、セルＣ５の長距離無線有効範囲エリア４４５およびセルＣ４の短距離無線有効範囲エリア４１４に入る。Ｃ４ビーコン信号の測定された電力が適切な負の量だけ正しくオフセットされるため、ＵＥ４２０は、セルＣ４へのいかなるハンドオーバ状態も検出しないが、状態Ａ３を満たすものとして、正の量ＰＴＸＭＡＸ＿ＤＬ２＿Ｃ５−ＰＴＸＭＡＸ＿ＤＬ１＿Ｃ５だけ適切にオフセットされた、Ｃ５ビーコン信号の測定された電力を検出する。結果的に、ＴＴＴ秒間にこの状態が満たされる場合、ＵＥ４２０は、ターゲット・セルＣ５へハンドオーバ・イベントＡ３を通知するために、ソースｅＮＢ４１２にＭＥＡＳＵＲＥＭＥＮＴ  ＲＥＰＯＲＴメッセージを送信する。
【００９５】
その上に、ソースｅＮＢ４１２は、ソース・セルＣ２からターゲット・セルＣ５へのＵＥ４２０のハンドオーバを実行することを決定する。ソースｅＮＢ４１２は、Ｘ２インターフェースを介してターゲットｅＮＢ４１５にＨＡＮＤＯＶＥＲ  ＲＥＱＵＥＳＴメッセージを送信するか（ＭＭＥ内ハンドオーバの場合）、またはＳ１−ＭＭＥインターフェースを介して、ターゲットｅＮＢ４１５へのＨＡＮＤＯＶＥＲ  ＲＥＱＵＥＳＴメッセージとして中継されるＨＡＮＤＯＶＥＲ  ＲＥＱＵＩＲＥＤメッセージをＭＭＥに送信する（ＭＭＥ間ハンドオーバの場合）。ＨＡＮＤＯＶＥＲ  ＲＥＱＵＥＳＴ／ＲＥＱＵＩＲＥＤメッセージは、ＵＥ履歴情報要素（ＩＥ）において、セルＣ２など、以前に訪問された各セルでＵＥ４２０が費やした時間を含む。ターゲットｅＮＢ４１５は、ＵＥ履歴ＩＥからの高速で移動するＵＥとしてＵＥ４２０を特徴づけることができる。あるいは、ソースｅＮＢ４１２は、ＨＡＮＤＯＶＥＲ  ＲＥＱＵＥＳＴ／ＲＥＱＵＩＲＥＤメッセージへと、ＵＥ４２０が属するＵＥ速度カテゴリを明示的に符号化することができる。
【００９６】
資源承認制御の後に、ターゲットｅＮＢ４１５は、第２の無線パーティションＢ＿ＤＬ２およびＢ＿ＵＬ２内の必要なダウンリンクおよびアップリンクのＲＡＢを予約し、ソースｅＮＢ４１２にＨＡＮＤＯＶＥＲ  ＲＥＱＵＥＳＴ  ＡＣＫメッセージを送り返す。このメッセージは、ＲＲＣメッセージとしてソースｅＮＢ４１２によってＵＥ４２０に透過的に渡されるＲＲＣ  ＣＯＮＮＥＣＴＩＯＮ  ＲＥＣＯＮＦＩＧＵＲＡＴＩＯＮコンテナを含む。
【００９７】
ＵＥ４２０は、必要なパラメータを備えたＲＲＣ  ＣＯＮＮＥＣＴＩＯＮ  ＲＥＣＯＮＦＩＧＵＲＡＴＩＯＮメッセージを受信し、ハンドオーバを実行することをソースｅＮＢ４１２によって命令される。ＵＥ４２０がターゲット・セルＣ５に正しくアクセスした場合、ＵＥ４２０は、ターゲットｅＮＢ４１５にＲＲＣ  ＣＯＮＮＥＣＴＩＯＮ  ＲＥＣＯＮＦＩＧＵＲＡＴＩＯＮ  ＣＯＭＰＬＥＴＥメッセージを送信する。ターゲットｅＮＢ４１５は、ここで、ＵＥ４２０にデータを送信し始めることができ、ソースｅＮＢ４１２は、以前にＵＥ４２０に割り当てられた無線資源を決定的に解放することができる。
【００９８】
したがって、高速で移動するＵＥ４２０は、シングル・パーティション・セルＣ３およびＣ４によって取り込まれずに、セルＣ２の第２の無線パーティション４４２からセルＣ５の第２の無線パーティション４４５に直接的に移動される。分かるように、ＵＥ４２０は、ピコセルＣ２、Ｃ３、Ｃ４、Ｃ５、およびＣ６を横断する間に１度のハンドオーバしか実行しないため、ハンドオーバの数は相当に減らされたため、それによってハンドオーバ・シグナリング負荷およびハンドオーバ障害に関して大幅な減少をもたらす。
【００９９】
本発明の代替実施形態では、ダウンリンク・セル参照信号は、第２のダウンリンク無線パーティションＢ＿ＤＬ２内の通信のために構成される第２の増強されたダウンリンク最大伝送電力レベルＰＴＸＭＡＸ＿ＤＬ２で伝送される。
【０１００】
その場合、ゆっくり移動するＵＥは、シングル・パーティション・セルＣ１、Ｃ３、Ｃ４、およびＣ６に対してオフセットなし、ダブル・パーティション・セルＣ２およびＣ５に対して負のオフセットで構成され、高速で移動するＵＥは、ダブル・パーティション・セルＣ２およびＣ５に対してオフセットなし、シングル・パーティション・セルＣ１、Ｃ３、Ｃ４、およびＣ６に対して負のオフセットで構成される。
【０１０１】
上記の記述はＬＴＥの技術および用語に完全に言及したが、無線アクセス・ネットワーク（ＲＡＮ）は、グローバル・システム・モバイル（ＧＳＭ：Ｇｌｏｂａｌ  Ｓｙｓｔｅｍ  Ｍｏｂｉｌｅ）、または符号分割多元接続（ＣＤＭＡ）、またはユニバーサル・モバイル・テレストリアル・システム（ＵＭＴＳ：Ｕｎｉｖｅｒｓａｌ  Ｍｏｂｉｌｅ  Ｔｅｒｒｅｓｔｒｉａｌ  Ｓｙｓｔｅｍ）など、他の移動体またはワイヤレス通信の技術に従って動作させることができる。たとえば、記述された無線アクセス装置は、無線資源制御のための基地局制御装置（ＢＳＣ）または無線ネットワーク制御装置（ＲＮＣ）、および送信電力制御のための無線基地局（ＢＴＳ）またはノードＢの一部を形成するだろう。ＵＥ速度特徴づけは、ＢＳＣもしくＲＮＣ、またはＢＴＳもしくはノードＢによって不明瞭（ｉｎｄｉｓｔｉｎｃｔｌｙ）に実行することができる。
【０１０２】
「含む（ｃｏｍｐｒｉｓｉｎｇ）」という言葉は、その後に記載された手段に限定されるものと解釈するべきでないことに注意されたい。したがって、「手段ＡおよびＢを含むデバイス（ａ  ｄｅｖｉｃｅ  ｃｏｍｐｒｉｓｉｎｇ  ｍｅａｎｓ  Ａ  ａｎｄ  Ｂ）」という表現の範囲は、構成要素ＡおよびＢのみから構成されるデバイスに限定するべきでない。これは、本発明に関してデバイスの関連する構成要素がＡおよびＢであることを意味する。
【０１０３】
さらに、「結合された（ｃｏｕｐｌｅｄ）」という用語は、直接接続のみに限定されると解釈するべきでないことにも注意されたい。したがって、「デバイスＢに結合されたデバイスＡ（ａ  ｄｅｖｉｃｅ  Ａ  ｃｏｕｐｌｅｄ  ｔｏ  ａ  ｄｅｖｉｃｅ  Ｂ）」という表現の範囲は、デバイスＡの出力が、デバイスＢの入力に直接的に接続されている、かつ／またはその逆であるデバイスまたはシステムに限定するべきでない。これはＡの出力とＢの入力との間、かつ／またはその逆に経路が存在することを意味し、これは、他のデバイスまたは手段を含む経路でもよい。
【０１０４】
記述および図面は、単に本発明の原理を示すものである。本明細書に明示的に記述して示していないが、本発明の原理を具体化し、その趣旨および範囲に含まれるさまざまな配置を当業者であれば考案できることを理解されるだろう。さらに、本明細書に詳述したすべての例は、原則として、読者が本発明の原理、およびその技術を推進する発明者（ら）によって提供された概念を理解するのを支援するために、教育のみを目的とすることを明確に意図するものであり、そのような具体的には詳述された例および条件に限定しないものとして解釈するべきである。さらに、本明細書において、本発明の原理、態様、および実施形態を詳述するすべての記述、およびその特定の例は、その等価物を包含することを意図するものである。
【０１０５】
図に示すさまざまな要素の機能は、専用ハードウェア、および適切なソフトウェアと連携してソフトウェアを実行する機能を持つハードウェアの利用を通じて提供することができる。プロセッサによって提供される場合、機能は、単一の専用プロセッサによって、単一の共有プロセッサによって、またはその一部を共有できる、複数の個々のプロセッサによって提供することができる。さらに、プロセッサは、ソフトウェアを実行できるハードウェアを排他的に指すものと解釈するべきではなく、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）などを限定することなく、暗黙的に含むことができる。読み取り専用メモリ（ＲＯＭ）、ランダム・アクセス・メモリ（ＲＡＭ）、および不揮発性記憶装置など、他のハードウェア（従来型および／またはカスタム）も含めることができる。
【図１】
0005770931.tif 000002
【図２】
0005770931.tif 000003
【図３】
0005770931.tif 000004
【図４】
0005770931.tif 000005